(57)【要約】【課題】本発明は、絶縁カバ−を適正に拡開して確実に把持せしめつつ、架空電線に容易に、しかも、迅速、かつ確実に取付けることが出来る、絶縁カバ−用取付け工具を提供するものである。【解決手段】略コ字形状とされた固定把持片１の下端部に絶縁操作棒用接続金具２が取付けられると共に、同上端部には略下向きＬ字形状とされた作動棒２９付き可動把持片１７が付勢部材２０を介して回動自在に軸着されてなり、上記固定把持片１と可動把持片１７との間に拡開状の絶縁カバ−３１ａ・３１ｂを下向き状に把持せしめつつ可動把持片１７を下方に回動せしめ、絶縁カバ−３１ａ・３１ｂを閉作動せしめて架空電線４０に取付けるべく構成されている。【選択図】図１
2010233420.tif 000002
【特許請求の範囲】
【請求項１】
略コ字形状とされた固定把持片の下端部に絶縁操作棒用接続金具が取付けられると共に
、同上端部には略下向きＬ字形状とされた作動棒付き可動把持片が付勢部材を介して回動
自在に軸着されてなり、上記固定把持片と可動把持片との間に拡開状の絶縁カバ−を下向
き状に把持せしめつつ可動把持片を下方に回動せしめ、絶縁カバ−を閉作動せしめて架空
電線に取付けるべく構成されてなることを特徴とする、絶縁カバ−用取付け工具。
【請求項２】
固定把持片の内方に出没作動せしめて把持径を調整せしめるべくその背壁に略Ｄ字形状
の調整板が回転規制部材を介して回転自在に軸着されてなることを特徴とする、請求項１
記載の絶縁カバ−用取付け工具。 
【請求項３】
絶縁カバ−の外周面に当接して係止せしめるべく可動把持片の内面に凹凸面部が形成さ
れてなることを特徴とする、請求項１及び２記載の絶縁カバ−用取付け工具。
【請求項４】
可動把持片の開き角度を調整せしめるべく固定把持片の頂壁に回動規制部材が取付けら
れてなることを特徴とする、請求項１〜３記載の絶縁カバ−用取付け工具。
【請求項５】
固定把持片の底壁内面に滑り止め部材が取付けられてなることを特徴とする、請求項１
〜４記載の絶縁カバ−用取付け工具。 
【発明の詳細な説明】
【技術分野】
【０００１】
本発明は、間接活線工法により架空電線の芯線露出部などに取付けて使用する絶縁カバ
−の取付け工具に関する。
【背景技術】
【０００２】
従来より、例えば、架空電線に事故が生じた場合などにおける架空電線工事においては
、安全確保のために工事個所を無電圧状態にせしめる必要があるも、工事個所以外の送電
を停止せしめることが出来ないものである。このため、一般に工事個所を挾んでバイパス
工事終了後にバイパスケ−ブルでもって繋れたクランプを取付けるべく、架空電線の被覆
を剥がした個所、また、クランプに絶縁被膜を貫通する刃型電極を設けた場合における残
留貫通個所など架空電線の芯線露出部を補修して電流の漏洩や雨水の侵入を防止せしめる
必要があるものである。
【０００３】
ところで、かかる目的に使用される絶縁カバ−としては、例えば、両側一対とされた絶
縁プラスチック製の略半筒状カバ−部材がヒンジを介して開閉自在に連結され、同他側自
由端が係着部材を介して係着自在とされると共に、両側カバ−部材の外周面には仮止め用
掛止片が形成され、しかも、両側カバ−部材の内周面には各々両端に仕切壁を介して柔軟
性を有する絶縁混和物や絶縁パテなどの絶縁シ−ル材が充填されたものが開示されている
（特開平１１−１３６８２９号公報参照）。
【０００４】
そして、上述の如く構成された従来の絶縁カバ−は、両側のカバ−部材をヤットコなど
間接活線把持工具の把持片間にヒンジの弾力性を利用して略半開状に仮止め掛止保持せし
めつつ、絶縁シ−ル材を架空電線の芯線露出個所に外嵌状に当てがうと共に、把持片を閉
作動せしめて両側のカバ−部材を係着部材でもって水密状に係着封止せしめることにより
取付けるものとされている。
【先行技術文献】
【特許文献】
【０００５】
【特許文献１】特開平１１−１３６８２９号公報
【発明の概要】
【発明が解決しようとする課題】
【０００６】
ところで、上述の如く構成された従来の絶縁カバ−は、間接活線把持工具を操作せしめ
つつ両側一対のカバ−部材を把持片間に略半開状に仮止め掛止把持せしめることにより取
付け作業を行うものであるから、把持する両側カバ−部材の把持姿勢や把持力、あるいは
拡開角度などを適正に保持せしめずらいものである。このため、絶縁カバ−の取付け作業
が非常に面倒で手間がかかり、極めて作業能率が悪いのみならず、非常に熟練性が要求さ
れるものとなっていた。
【０００７】
本発明は、従来の問題点を解決し、絶縁カバ−を適正に拡開して確実に把持せしめつつ
、架空電線に容易に、しかも、迅速、かつ確実に取付けることが出来る、絶縁カバ−用取
付け工具を提供しようとするものである。
【課題を解決するための手段】
【０００８】
上記の目的を達成するため、請求項１記載の発明は、略コ字形状とされた固定把持片の
下端部に絶縁操作棒用接続金具が取付けられると共に、同上端部には略下向きＬ字形状と
された作動棒付き可動把持片が付勢部材を介して回動自在に軸着されてなり、上記固定把
持片と可動把持片との間に拡開状の絶縁カバ−を下向き状に把持せしめつつ可動把持片を
下方に回動せしめ、絶縁カバ−を閉作動せしめて架空電線に取付けるべく構成されてなる
ことを特徴とする、絶縁カバ−用取付け工具を要旨とするものである。
【０００９】
請求項２記載の発明は、固定把持片の内方に出没作動せしめて把持径を調整せしめるべ
くその背壁に略Ｄ字形状の調整板が回転規制部材を介して回転自在に軸着されてなること
を特徴とする、請求項１記載の絶縁カバ−用取付け工具を要旨とするものである。
【００１０】
請求項３記載の発明は、絶縁カバ−の外周面に当接して係止せしめるべく可動把持片の
内面に凹凸面部が形成されてなることを特徴とする、請求項１及び２記載の絶縁カバ−用
取付け工具を要旨とするものである。
【００１１】
請求項４記載の発明は、可動把持片の開き角度を調整せしめるべく固定把持片の頂壁に
回動規制部材が取付けられてなることを特徴とする、請求項１〜３記載の絶縁カバ−用取
付け工具を要旨とするものである。
【００１２】
請求項５記載の発明は、固定把持片の底壁内面に滑り止め部材が取付けられてなること
を特徴とする、請求項１〜４記載の絶縁カバ−用取付け工具を要旨とするものである。
【発明の効果】
【００１３】
請求項１記載の発明は、上述のように構成されているから、接続金具に絶縁操作棒を接
続せしめると共に、固定把持片と可動把持片との間に拡開状の絶縁カバ−を下向き状に確
実に把持せしめつつ、作動棒を介して絶縁操作棒などにより可動把持片を下方に回動せし
め、絶縁カバ−を閉作動せしめて架空電線に取付けることが出来るものであって、従来例
に比して、絶縁カバ−を適正に拡開して確実に把持せしめつつ架空電線に容易に、しかも
、迅速、かつ確実に取付けることが出来るものである。
【００１４】
請求項２記載の発明は、上述のように構成されているから、調整板を適宜回転作動せし
めて固定把持片内に出没せしめ、固定把持片内の把持径を自由に調整せしめることが出来
るものであって、ひいては、径の異なる大小の絶縁カバ−を確実に把持せしめつつ取付け
作業を行うことが出来るものである。
【００１５】
請求項３記載の発明は、上述のように構成されているから、絶縁カバ−の外周面を可動
把持片内面の凹凸面部に当接係止せしめることが出来るものであって、ひいては、絶縁カ
バ−を確実に把持せしめつつ取付け作業を行うことが出来るものである。
【００１６】
請求項４記載の発明は、上述のように構成されているから、回動規制部材により可動把
持片の開き角度を絶縁カバ−の径に応じて自由に調整せしめることが出来るものであって
、ひいては、径の異なる大小の絶縁カバ−を確実に把持せしめつつ取付け作業を行うこと
が出来るものである。
【００１７】
請求項５記載の発明は、上述のように構成されているから、滑り止め部材により絶縁カ
バ−の滑りを有効に防止せしめることが出来るものであって、ひいては、絶縁カバ−を確
実に把持せしめつつ取付け作業を行うことが出来るものである。
【図面の簡単な説明】
【００１８】
【図１】本発明の一実施例を示す斜視図である。
【図２】図１の正面図である。
【図３】図２のＡ部拡大断面図である。
【図４】図２のＢ部拡大断面図である。
【図５】図２のＣ部拡大断面図である。
【図６】図１の一部破断拡大平面図である。
【図７】図６のＩ−Ｉ線に沿う断面図である。
【図８】大径状の絶縁カバ−３１ａを示す正面図である。
【図９】大径状の絶縁カバ−３１ａを把持せしめた使用状態を示す断面図である。
【図１０】大径状の絶縁カバ−３１ａを閉作動せしめて架空電線４０に取付けた使用状態を示す断面図である。
【図１１】小径状の絶縁カバ−３１ｂを把持せしめた使用状態を示す断面図である。
【図１２】小径状の絶縁カバ−３１ｂを架空電線４０に取付けた使用状態を示す断面図である。
【発明を実施するための形態】
【００１９】
以下に、本発明を実施するための形態を図面に示す一実施例に基づいて詳細に説明する
。
【００２０】
図１乃至図７は本発明の一実施例を示すもので、同図中、１は所要の幅と高さを備えた
略コ字形状の固定把持片、２は後記する絶縁操作棒３７を接続せしめるべく該固定把持片
１の下端部に取付けられた接続金具、３は後記する調整板５を取付けるべく固定把持片１
の背壁４中央に形成された縦長状の取付け孔、５は固定把持片１の内方に出没作動せしめ
てその把持径を調整せしめるべく該取付け孔３に軸６を介して回転自在に嵌合軸着された
略Ｄ字形状の調整板、７は該調整板５の同一円周上に形成された所要数の係合凹部、８は
該係合凹部７に係合して調整板５を所要の位置に停止せしめるべく背壁４にネジ孔９を介
して螺着されたボ−ルプランジャで、該ボ−ルプランジャ８はネジ孔９に螺着自在とされ
た雄ネジ付き筒状体１０と、該筒状体１０内に付勢バネ１１でもって係合凹部７方向に付
勢保持されたロックボ−ル１２とより構成されている。
【００２１】
１３は後記する絶縁カバ−３１ａ・３１ｂの把持時における滑りを防止せしめるべく上
記固定把持片１の底壁１４内面に止着された滑り止めシ−ト、１５は後記する可動把持片
１７を回動自在に取付けるべく固定把持片１の頂壁１６に切欠き形成された取付け部、１
７は該取付け部１５に止ネジ１９付き軸１８を介して回動自在に嵌合軸着された略下向き
Ｌ字形状の可動把持片、２０は該可動把持片１７を取付け部１５の内側壁面に圧接してそ
の自重による回動作動を防止せしめるべく軸１８に巻装された付勢バネ、２１は固定把持
片１の頂壁１６先端側に位置すべく可動把持片１７の一側上端部に形成された係合凹部、
２２は該係合凹部２１に係合して可動把持片１７の上方回動を規制するインデックスプラ
ンジャで、該インデックスプランジャ２２は固定把持片１の頂壁１６一側にネジ孔２３を
介して螺着された中空状ネジ体２４と、係合凹部２１に係合せしめるべく該ネジ体２４に
進退自在に挿入されたツマミ付きロックピン２５と、該ロックピン２５を係合凹部２１方
向に付勢せしめる付勢バネ２６とより構成されている。２７は後記する絶縁カバ−３１ａ
・３１ｂの外周面に当接して係止せしめるべく可動把持片１７の内面に形成された凹凸面
部、２８は後記する絶縁カバ−３１ａ・３１ｂの掛止部などを掛止せしめるべく該凹凸面
部２７の先端縁に切欠き形成された掛止部、２９は可動把持片１７を回動作動せしめるべ
くその頂壁に起立状に螺着された作動棒、３０は該作動棒２９の先部に取付けられたリン
グである。
【００２２】
その他、３１ａは大径状の絶縁カバ−を示すもので、該絶縁カバ−３１ａは両側一対と
された略半筒状カバ−部材３２の一側がヒンジ３３を介して開閉自在に連結されると共に
、同他側自由端が係合片３４と係合孔３５とを介して係着自在とされ、該両側カバ−部材
３２内の所要個所に柔軟性を有する絶縁シ−ル材３６が充填されている（図８参照）。３
１ｂは小径状とされた同相似形状の絶縁カバ−、３７は固定把持片１に接続金具２を介し
て接続自在とされた絶縁操作棒、３８はリング３０に引掛けつつ作動棒２９を介して可動
把持片１７を回動作動せしめるフック３９付き絶縁操作棒、４０は架空電線を示す。
【００２３】
次に、上述の如く構成された実施例の作動を図９乃至図１２に基づいて説明する。
まず、固定把持片１に接続金具２を介して絶縁操作棒３７を接続せしめたのち、取付け
るべき絶縁カバ−３１ａ・３１ｂの大きさに応じて固定把持片１の把持径と可動把持片１
７の角度を調整する。
即ち、絶縁カバ−３１ａが大径状を呈する場合には、図９に示すように、調整板５をボ
−ルプランジャ８により外方突出状に停止せしめて固定把持片１の把持径を大に調整せし
めると共に、インデックスプランジャ２２のロックピン２５を外方に引張して係合凹部２
１との係合を解除せしめ、可動把持片１７を上方に回動してその開き角度を大に設定せし
める。しかるのち、絶縁カバ−３１ａを所要の角度に下向き状に拡開せしめつつ、一方の
カバ−部材３２を固定把持片１の内面に滑り止めシ−ト１３を介して当接せしめると共に
、同他方のカバ−部材３２を可動把持片１７内面の凹凸面部２７に当接せしめ、固定把持
片１と可動把持片１７との間に絶縁カバ−３１ａを下向き拡開状に把持せしめる。次いで
、絶縁操作棒３７を操作せしめつつ所要の架空電線４０に絶縁カバ−３１ａをアプロ−チ
せしめ、カバ−部材３２内の絶縁シ−ル材３６を架空電線４０の所要個所に外嵌状に当て
がうと共に、フック３９をリング３０に引掛けつつ絶縁操作棒３８でもって作動棒２９を
下方に作動せしめ、これに連動して可動把持片１７を下方に回動して閉作動せしめる。そ
して、図１０に示すように、係合片３４を対応する係合孔３５に係合せしめて水密状に係
着掛止せしめることにより取付けるものである。  
【００２４】
逆に、絶縁カバ−３１ｂが小径状を呈する場合には、図１１に示すように、調整板５を
ボ−ルプランジャ８により内方突出状に停止せしめて固定把持片１の把持径を小に調整せ
しめると共に、インデックスプランジャ２２のロックピン２５を係合凹部２１に係合せし
めて可動把持片１７の開き角度を所定の角度に設定せしめる。しかるのち、絶縁カバ−３
１ｂを所要の角度に拡開せしめつつ、一方のカバ−部材３２を固定把持片１内の突出調整
板５と滑り止めシ−ト１３を介して当接せしめると共に、同他方のカバ−部材３２を可動
把持片１７内面の凹凸面部２７に当接せしめ、固定把持片１と可動把持片１７との間に絶
縁カバ−３１ｂを下向き拡開状に把持せしめる。次いで、絶縁操作棒３７を操作せしめつ
つ所要の架空電線４０に絶縁カバ−３１ｂをアプロ−チせしめ、カバ−部材３２内の絶縁
シ−ル材３６を架空電線４０の所要個所に外嵌状に当てがうと共に、フック３９をリング
３０に引掛けつつ絶縁操作棒３８でもって作動棒２９を下方に作動せしめ、これに連動し
て可動把持片１７を下方に回動して閉作動せしめる。そして、図１２に示すように、係合
片３４を対応する係合孔３５に係合せしめて水密状に係着掛止せしめることにより取付け
るものである。
【００２５】
なお、上述の如く絶縁カバ−３１ａ・３１ｂを架空電線４０に取付けるさいにおいて、
接続金具２に絶縁操作棒３７を接続せしめると共に、固定把持片１と可動把持片１７との
間に拡開状の絶縁カバ−３１ａ・３１ｂを下向き状に確実に把持せしめつつ、作動棒２９
を介して絶縁操作棒３８などにより可動把持片１７を下方に回動せしめ、絶縁カバ−３１
ａ・３１ｂを閉作動せしめて架空電線４０に取付けることが出来るものであるから、従来
例に比して、絶縁カバ−３１ａ・３１ｂを適正に拡開して確実に把持せしめつつ架空電線
４０に容易に、しかも、迅速、かつ確実に取付けることが出来る。また、調整板５を適宜
回転作動せしめて固定把持片１内に出没せしめ、固定把持片１内の把持径を自由に調整せ
しめることが出来るものであるから、径の異なる大小の絶縁カバ−３１ａ・３１ｂを確実
に把持せしめることが出来るのみならず、絶縁カバ−３１ａ・３１ｂの外周面を可動把持
片１７内面の凹凸面部２７に当接係止せしめることが出来るものであるから、絶縁カバ−
３１ａ・３１ｂを確実に把持せしめることが出来、また、インデックスプランジャ２２に
より可動把持片１７の開き角度を絶縁カバ−３１ａ・３１ｂの径に応じて自由に調整せし
めることが出来るものであって、ひいては、径の異なる大小の絶縁カバ−３１ａ・３１ｂ
を確実に把持せしめつつ取付け作業を行うことが出来るものである。さらに、滑り止めシ
−ト１３により絶縁カバ−３１ａ・３１ｂの滑りを有効に防止せしめることが出来るもの
であって、ひいては、絶縁カバ−３１ａ・３１ｂを確実に把持せしめつつ取付け作業を行
うことが出来るものである。
【００２６】
なお、上記実施例において、調整板５の回転規制部材としてボ−ルプランジャ８、可動
把持片１７の付勢部材として付勢バネ２０、可動把持片１７の回動規制部材としてインデ
ックスプランジャ２２、滑り止め部材として滑り止めシート１３が各々示されているが、
これに限定されるものでなく、他の公知の回転規制部材、付勢部材、回動規制部材、ある
いは滑り止め部材を採択使用することが出来るものである。
【符号の説明】
【００２７】
１  固定把持片
２  接続金具
５  調整板
８  ボ−ルプランジャ
１３  滑り止めシ−ト
１７  可動把持片
２０  付勢バネ
２２  インデックスプランジャ
２７  凹凸面部
２９  作動棒
３１ａ・３１ｂ  絶縁カバ−  
３７  絶縁操作棒
４０  架空電線
【図１】
2010233420.tif 000003
【図２】
2010233420.tif 000004
【図３】
2010233420.tif 000005
【図４】
2010233420.tif 000006
【図５】
2010233420.tif 000007
【図６】
2010233420.tif 000008
【図７】
2010233420.tif 000009
【図８】
2010233420.tif 000010
【図９】
2010233420.tif 000011
【図１０】
2010233420.tif 000012
【図１１】
2010233420.tif 000013
【図１２】
2010233420.tif 000014